(57)【特許請求の範囲】
【請求項１】
無線ネットワークにおけるリンクアダプテーションに関する、伝送ポイント（ＴＰ）のための方法であって、
複数のユーザ装置（ＵＥ）を複数のＵＥ  変調及び符号化方式（ＭＣＳ）グループへグループ化する段階と、
複数の対応するＭＣＳを前記複数のＵＥ  ＭＣＳグループに割り当てる段階と、
同一のランダムアクセス（ＲＡ）リソースを前記複数のＵＥ  ＭＣＳグループに割り当てる段階と、
前記同一のＲＡリソースを、前記複数のＵＥ  ＭＣＳグループにおける前記ＵＥにシグナリングする段階と、
前記同一のＲＡリソースにおける前記複数の対応するＭＣＳを使用して、複数のパケットを、前記複数のＵＥ  ＭＣＳグループにおける前記複数のＵＥから受信する段階と、
対応する上りリンクグラントをＵＥへ送信することなく、第１変調及び符号化方式（第１ＭＣＳ）を使用して、第１パケットを前記ＵＥから受信する段階と、
前記第１ＭＣＳと異なる第２ＭＣＳを選択する段階と、
選択された前記第２ＭＣＳを使用する命令を前記ＵＥへ伝送する段階と
を備える、
方法。
【請求項２】
対応する上りリンクグラントを前記ＵＥへ送信することなく、前記第２ＭＣＳを使用して、第２パケットを前記ＵＥから受信する段階を更に備える、請求項１に記載の方法。
【請求項３】
前記第１パケット及び１つ若しくは複数の、後続のパケット又は制御信号を受信すると前記ＵＥに関連付けられるチャネルの上りリンク長期（ＬＴ）チャネル信号品質の測定に基づいて、前記ＵＥをＭＣＳグループに分類する段階を更に備える、請求項１に記載の方法。
【請求項４】
前記ＵＥに関連付けられる上りリンクチャネルの信号品質を前記ＴＰが測定する段階と、
測定された前記信号品質に従って前記第２ＭＣＳを選択する段階と
を更に備える、請求項１から３のいずれか一項に記載の方法。
【請求項５】
周囲の干渉レベルを前記ＴＰが測定する段階と、
周囲の干渉レベルの改善を検出すると、前記第１ＭＣＳをアップグレードすること、及び、前記周囲の干渉レベルの劣化を検出すると、前記第１ＭＣＳをダウングレードすることのうちの１つを実行する段階と、
を更に備える、請求項１から４のいずれか一項に記載の方法。
【請求項６】
前記ＵＥの移動性を前記ＴＰが判定する段階と、
前記移動性の減少を検出すると、前記第１ＭＣＳをアップグレードすること、及び、前記移動性の増加を検出すると、前記第１ＭＣＳをダウングレードすることのうちの１つを実行する段階と
を更に備える、請求項１から５のいずれか一項に記載の方法。
【請求項７】
前記第１パケットを受信すると、前記ＵＥの上りリンク長期（ＬＴ）チャネル信号品質測定に関連付けられるリンクアダプテーション状態（ＬＡ状態）を検出する段階を更に備え、前記ＬＡ状態を検出する段階は、受信された前記第１パケットをスタウトチャネル（ＳＣ）内で検出する段階を含み、前記第１ＭＣＳは、受信された前記第１パケットを前記ＳＣ内で検出したことに従って、前記第２ＭＣＳにダウングレードされる、請求項１から６のいずれか一項に記載の方法。
【請求項８】
前記ＬＡ状態に従って、前記ＵＥの伝送の電力制御（ＰＣ）を実行する段階を更に備える、請求項７に記載の方法。
【請求項９】
前記ＬＡ状態に従って、前記ＵＥの試験的調整を実行する段階を更に備える、請求項７に記載の方法。
【請求項１０】
前記ＬＡ状態に従って、変動するＭＣＳを用いるＬＡ対応ＵＥの第１グループ、及び、固定されたＭＣＳを用いるＵＥの第２グループのうちの１つへ前記ＵＥを分類する段階を更に有し、前記ＵＥは、前記ＵＥが静止している、若しくは、低速で移動するＵＥであると判定されると、前記第１グループに分類されるか、又は、前記ＵＥが高速で移動するＵＥであると判定されると、前記第２グループに分類される段階を更に備える、請求項７に記載の方法。
【請求項１１】
前記ＵＥの上りリンクＬＴチャネル信号品質測定に関連付けられるＬＡ状態を時間にわたって検出することを繰り返す段階と、
前記ＬＡ状態に従って前記ＵＥの前記分類を更新する段階と
を更に備える、請求項１０に記載の方法。
【請求項１２】
サポートされている複数のＭＣＳを、複数の予め定められたチャネル品質インジケータ（ＣＱＩ）値に関連付けるルックアップテーブル（ＬＵＴ）を確立する段階と、
前記ＵＥに関連付けられる上りリンクチャネルについてのＣＱＩを測定する段階と、
前記ＬＵＴ内の前記ＵＥの前記ＣＱＩに一致する、サポートされている前記複数のＭＣＳのうちの１つを前記ＵＥに割り当てる段階と
を更に備える、請求項１から１１のいずれか一項に記載の方法。
【請求項１３】
無線ネットワークにおけるリンクアダプテーションのための方法であって、
複数のユーザ装置（ＵＥ）を複数のＵＥ  変調及び符号化方式（ＭＣＳ）グループへグループ化する段階と、
複数の対応するＭＣＳを前記複数のＵＥ  ＭＣＳグループに割り当てる段階と、
同一のランダムアクセス（ＲＡ）リソースを前記複数のＵＥ  ＭＣＳグループに割り当てる段階と、
前記同一のＲＡリソースを、前記複数のＵＥ  ＭＣＳグループにおける前記ＵＥに、伝送ポイント（ＴＰ）によりシグナリングする段階と、
前記同一のＲＡリソースにおける前記複数の対応するＭＣＳを使用して、複数のパケットを、前記複数のＵＥ  ＭＣＳグループにおける前記複数のＵＥから、前記ＴＰが受信する段階と、
対応する上りリンクグラントを前記ＴＰから受信することなく、前記ＵＥに予め割り当てられた第１変調及び符号化方式（第１ＭＣＳ）を使用して、前記ＵＥが第１パケットを前記ＴＰへ伝送する段階と、
ＵＥ伝送又はアプリケーション品質に関連付けられるリンクアダプテーション（ＬＡ）状態を前記ＵＥにおいて検出する段階と、
第１ＭＣＳとは異なる第２ＭＣＳを使用して、第２パケットを前記ＴＰへ送信する段階と
を備える、
方法。
【請求項１４】
命令を前記ＴＰから受信する前に、予め割り当てられたもっともロバストなＭＣＳを使用して、前記第１パケットをスタウトチャネル（ＳＣ）上で前記ＴＰへ再伝送する段階を更に備える、請求項１３に記載の方法。
【請求項１５】
前記第１パケットの前記ＴＰへの繰り返し伝送の予め規定された最大数に到達するまで、前記第１パケットを前記ＴＰへ伝送する前記段階を繰り返す段階を更に備える、請求項１３又は１４に記載の方法。
【請求項１６】
前記ＵＥの移動性の増加を前記ＵＥが検出する段階と、
前記ＵＥの前記移動性の前記増加に応答して、前記第１ＭＣＳから前記第２ＭＣＳへのダウングレードを開始する段階と
を更に備える、請求項１３から１５のいずれか一項に記載の方法。
【請求項１７】
前記第１ＭＣＳよりロバストなＭＣＳを必要とする、前記ＵＥのアプリケーションについてのサービス品質（ＱｏＳ）要件を判定する段階と、
前記アプリケーションの前記ＱｏＳに応答して、前記第１ＭＣＳから前記第２ＭＣＳへのダウングレードを開始する段階と
を更に備える、請求項１３から１６のいずれか一項に記載の方法。
【請求項１８】
リンクアダプテーションをサポートするためのネットワークコンポーネントであって、
少なくとも１つのプロセッサと、
前記少なくとも１つのプロセッサによって実行されるプログラムを記憶する非一時的コンピュータ可読記憶媒体と、
を含み、
前記プログラムは、
複数のユーザ装置（ＵＥ）を複数のＵＥ  変調及び符号化方式（ＭＣＳ）グループへグループ化する命令と、
複数の対応するＭＣＳを前記複数のＵＥ  ＭＣＳグループに割り当てる命令と、
同一のランダムアクセス（ＲＡ）リソースを前記複数のＵＥ  ＭＣＳグループに割り当てる命令と、
前記同一のＲＡリソースを、前記複数のＵＥ  ＭＣＳグループにおける前記ＵＥにシグナリングする命令と、
前記同一のＲＡリソースにおける前記複数の対応するＭＣＳを使用して、複数のパケットを、前記複数のＵＥ  ＭＣＳグループにおける前記複数のＵＥから受信する命令と、
対応する上りリンクグラントをユーザ装置（ＵＥ）へ送信することなく、予め割り当てられた第１変調及び符号化方式（第１ＭＣＳ）を使用して、第１パケットを前記ＵＥから受信する命令と、
前記第１ＭＣＳとは異なる第２ＭＣＳを選択する命令と、
選択された前記第２ＭＣＳを使用する命令を伝送する命令と
を含む、ネットワークコンポーネント。
【請求項１９】
前記プログラムは、対応する上りリンクグラントを前記ＵＥへ送信することなく、前記第２ＭＣＳを使用して、第２パケットを前記ＵＥから受信する更なる命令を含む、請求項１８に記載のネットワークコンポーネント。
【請求項２０】
前記プログラムは、
前記ＵＥに関連付けられる上りリンクチャネルの信号品質を測定する命令、及び
測定された前記信号品質に従って、前記第２ＭＣＳを選択する命令
を更に含む、
請求項１８又は１９に記載のネットワークコンポーネント。
【請求項２１】
リンクアダプテーションをサポートするためのユーザ装置（ＵＥ）であって、
少なくとも１つのプロセッサと、
前記少なくとも１つのプロセッサによって実行されるプログラムを記憶する非一時的コンピュータ可読記憶媒体と
を備え、
前記プログラムは、
対応する上りリンクグラントを伝送ポイント（ＴＰ）から受信することなく、第１変調及び符号化方式（第１ＭＣＳ）を使用して、第１パケットを前記ＴＰへ伝送する命令、
前記ＵＥに関連するリンクアダプテーション（ＬＡ）状態を検出する命令、及び、
前記第１ＭＣＳとは異なる第２ＭＣＳを使用して、第２パケットを前記ＴＰへ送信する命令、
を含み、
前記ＴＰは、複数のＵＥを複数のＵＥ  変調及び符号化方式（ＭＣＳ）グループへグループ化し、
複数の対応するＭＣＳを前記複数のＵＥ  ＭＣＳグループに割り当て、
同一のランダムアクセス（ＲＡ）リソースを前記複数のＵＥ  ＭＣＳグループに割り当て、
前記同一のＲＡリソースを、前記複数のＵＥ  ＭＣＳグループにおける前記ＵＥにシグナリングし、
前記同一のＲＡリソースにおける前記複数の対応するＭＣＳを使用して、複数のパケットを、前記複数のＵＥ  ＭＣＳグループにおける前記複数のＵＥから受信する、
ユーザ装置。
【請求項２２】
ユーザ装置（ＵＥ）ノードにおける実行のための方法であって、
複数のユーザ装置（ＵＥ）を複数のＵＥ  変調及び符号化方式（ＭＣＳ）グループへグループ化する段階と、
複数の対応するＭＣＳを前記複数のＵＥ  ＭＣＳグループに割り当てる段階と、
同一のランダムアクセス（ＲＡ）リソースを前記複数のＵＥ  ＭＣＳグループに割り当てる段階と、
前記同一のＲＡリソースを、前記複数のＵＥ  ＭＣＳグループにおける前記ＵＥに、伝送ポイント（ＴＰ）によりシグナリングする段階と、
前記同一のＲＡリソースにおける前記複数の対応するＭＣＳを使用して、複数のパケットを、前記複数のＵＥ  ＭＣＳグループにおける前記複数のＵＥから前記ＴＰが受信する段階と、
対応する上りリンクグラントを伝送ポイント（ＴＰ）から受信することなく、第１変調及び符号化方式（第１ＭＣＳ）を使用して、無線チャネル上で伝送を前記ＴＰへ送信する段階と、
前記第１ＭＣＳとは異なる第２ＭＣＳを使用して後続の伝送を送信する命令を前記ＴＰから受信する段階と、
対応する上りリンクグラントを前記ＴＰから受信することなく、前記第２ＭＣＳを使用して、後続の伝送を前記ＴＰへ送信する段階と
を備える、
方法。
【請求項２３】
前記ＴＰから前記命令を受信する前に、後続の伝送は前記第１ＭＣＳとは異なるＭＣＳを使用するべきであると判定する段階と、
前記判定に従って、前記第２ＭＣＳを選択する段階と、
前記命令を前記ＴＰから受信するより先に、前記第２ＭＣＳを用いて、伝送を前記ＴＰへ送信する段階と
を更に備える、請求項２２に記載の方法。
【発明の詳細な説明】
【技術分野】
【０００１】
［関連出願の相互参照］
本出願は、２０１５年５月２８日に出願された、「上りリンクグラントレスランダムアクセスにおけるリンクアダプテーションのための装置及び方法」と題される米国特許出願第１４／７２４，５６９号に基づく優先権の利益を主張し、その内容は参照によって本明細書に組み込まれる。本発明は、無線通信に関し、特定の実施形態において、上りリンクグラントレスランダムアクセスにおけるリンクアダプテーションのための装置及び方法に関する。
【背景技術】
【０００２】
発展を続ける次世代無線ネットワークにおいて、シグナリングのオーバーヘッドを低減するべく、並びに、レイテンシ要件が厳しいトラフィック及びアプリケーションをサポートするべく、上りリンクグラントレスランダムアクセス（ＲＡ）方式が採用され得る。例えば、ゲーム、又は、リアルタイムのビデオストリーミングなどのアプリケーションでは、リアルタイムストリームは、非常に低いレイテンシ及び信頼性の高い伝送を必要とする。上りリンクにおけるランダムアクセス方式では、複数のユーザが同一の無線リソースを同時に共有できるスパースコード多元接続（ＳＣＭＡ）技術が過負荷のトラフィックに使用され得る。また、四位相偏移変調（ＱＳＰＫ）などの固定された変調及び符号化方式（ＭＣＳ）も、より信頼性の高い通信を達成するために使用される。多くの従来型の無線アクセスネットワーク（ＲＡＮ）において、スケジューリングされた伝送スロットを要求するべく、ランダムアクセスチャネルが端末によって使用される。その結果、ランダムアクセスチャネル上の通信が非常に短くなる傾向があり、伝送が成功する確率を最大化する余地のある、ロバストなＭＣＳを使用することが好ましい。データ伝送のためにランダムアクセスチャネルを使用することに対する関心が増大している。しかしながら、非常にロバストなＭＣＳの使用は、常に必要であるわけではなく、必要がないときは、スペクトル使用効率の低下につながる。現在のところ、ランダムアクセスデータ通信における効率の向上を可能とするための機構は存在しない。ＵＥのチャネル状態、又は、ネットワーク内における位置／配置が適切であるときなどには、より多くのユーザをサポートするために、より積極的な変調及び符号化方式（ＭＣＳ）がユーザ装置（ＵＥ）にとって有益であり得る。従って、そのような状態に応じた、上りリンクグラントレスＲＡのためのリンクアダプテーション（ＬＡ）方式が必要とされている。
【発明の概要】
【０００３】
一実施形態によれば、無線ネットワークにおけるランダムアクセスのリンクアダプテーションのための方法は、ユーザ装置（ＵＥ）に予め割り当てられた変調及び符号化方式（ＭＣＳ）を使用して符号化された第１パケットを伝送ポイント（ＴＰ）がＵＥから受信する段階、及び、第１パケットを受信すると、ＵＥの上りリンク長期（ＬＴ）測定に関連付けられるリンクアダプテーション（ＬＡ）状態を検出する段階を含む。当該方法は更に、ＬＡ状態に従って、コンテンションベースのグラントレス伝送のためのＭＣＳのアップグレード及びダウングレードのうちの１つを実行する段階、並びに、アップグレード又はダウングレードの結果としての第２ＭＣＳを示すべくＵＥにシグナリングする段階を備える。そして、第２ＭＣＳを使用して符号化された第２パケットがＵＥから受信される。
【０００４】
別の実施形態によれば、無線ネットワークにおけるランダムアクセスのリンクアダプテーションのための方法は、ＵＥに予め割り当てられた第１ＭＣＳを使用して符号化された第１パケットをＵＥがＴＰへ伝送する段階と、第１パケットを受信すると、ＵＥの伝送又はアプリケーションの品質に関連付けられるＬＡ状態を検出する段階と、ＬＡ状態に従って、コンテンションベースのグラントレス伝送のための第１ＭＣＳのダウングレードを開始する段階を備える。当該方法は更に、ダウングレードの結果としての第２ＭＣＳを示すシグナリングをＴＰから受信する段階を備える。第２ＭＣＳは、第１ＭＣＳよりロバストなＭＣＳである。その後、第２ＭＣＳを使用して符号化された第２パケットがＴＰへ送信される。
【０００５】
別の実施形態によれば、ネットワークコンポーネントは、少なくとも１つのプロセッサ、及び少なくとも１つのプロセッサによって実行されるプログラムを記憶するための非一時的コンピュータ可読記憶媒体を備える。プログラムは、ＭＣＳを使用して符号化された第１パケットをＵＥから受信し、第１パケットを受信するとＵＥの上りリンク測定に関連付けられたＬＡ状態を検出し、ＬＡ状態に従って、ＭＣＳのアップグレード及びダウングレードのうちの１つを実行する命令を含む。プログラムは、アップグレード又はダウングレードの結果としての第２ＭＣＳを示すべくＵＥにシグナリングし、第２ＭＣＳを使用して符号化された第２パケットをＵＥから受信する更なる命令を含む。
【０００６】
別の実施形態によれば、ＵＥは、少なくとも１つのプロセッサと、少なくとも１つのプロセッサによって実行されるプログラムを記憶するため非一時的コンピュータ可読記憶媒体とを含む。プログラムは、第１ＭＣＳを使用して符号化された第１パケットをＴＰへ伝送し、第１パケットを受信すると、ＵＥに関連付けられたＬＡ状態を検出し、ＬＡ状態に従って、第１ＭＣＳのダウングレードを開始する命令を含む。プログラムは、ダウングレードの結果としての第２ＭＣＳを示すシグナリングをＴＰから受信し（第２ＭＣＳは第１ＭＣＳよりロバストなＭＣＳである）、第２ＭＣＳを使用して符号化された第２パケットをＵＥへ送信する更なる命令を含む。
【０００７】
更に別の実施形態によれば、エンティティがＭＣＳを伝送に使用するグラントフリー無線通信に関与しているノードで実行される方法は、非リンクベースのファクターに従って、現在のＭＣＳから新しいＭＣＳへの切り替えを決定する段階と、後続のグラントフリー伝送に新しいＭＣＳを使用するように、グラントフリー伝送コントローラに命令する段階とを備える。
【０００８】
後述する発明の詳細な説明がより良く理解され得るように、上記では、本発明の実施形態の特徴を比較的幅広く概説した。本発明の実施形態の追加的な特徴及び利点が以下に記載され、それは、本発明の特許請求の範囲の主題を形成する。開示される概念及び具体的な実施形態は、本発明と同一の目的を達成するために、他の構造又はプロセスを修正又は設計するための基礎として容易に利用され得ることを、当業者であれば理解するはずである。また、当業者であれば、そのような均等な構造が、添付の特許請求の範囲において記載されているような本発明の思想及び範囲から逸脱するものでないことを理解するはずである。
【図面の簡単な説明】
【０００９】
本発明及びその利点をより完全に理解するために、ここで、添付の図面に関連する以下の説明を参照する。
【００１０】
【図１】ネットワーク伝送ポイント（ＴＰ）の動作に伴うＬＡの実施形態を示す。
【００１１】
【図２】ＵＥの動作に伴うＬＡの実施形態を示す。
【００１２】
【図３】ＵＥ  ＲＡリソース割り当ての実施形態を示す。
【００１３】
【図４】グラントレススケジューリングに伴うＲＡのための電力制御（ＰＣ）の実施形態を示す。
【００１４】
【図５】グラントレススケジューリングに伴うＲＡのための再伝送プロトコルの実施形態を示す。
【００１５】
【図６】ＲＡにおける、ネットワーク／ＴＰに起因するＭＣＳアップグレードのための実施方法のプロトコル図を示す。
【００１６】
【図７】ＲＡにおける、ネットワーク／ＴＰに起因するＭＣＳダウングレードのための実施方法のプロトコル図を示す。
【００１７】
【図８】ＲＡにおける、ＵＥに起因するＭＣＳダウングレードのための別の実施方法のプロトコル図を示す。
【００１８】
【図９】ＲＡにおける、ＵＥに起因するＭＣＳダウングレードのための別の実施方法のプロトコル図を示す。
【００１９】
【図１０】様々な実施形態を実装するために使用できる処理システムの図である。
【００２０】
別途に示されない限り、異なる図における対応する番号及び記号は概して、対応する部分を指す。図は、実施形態の関連する態様を明確に図示するよう描写され、必ずしも縮尺通りに描写されてはいない。
【発明を実施するための形態】
【００２１】
現在好ましい実施形態の作成および使用について、以下で詳細に説明する。しかしながら、本発明は、多種多様な特定の文脈において具現化され得る多数の適用可能な発明の概念を提供することが理解されるべきである。説明されている具体的な実施形態は、本発明を作成及び使用するための具体的な手段の例示に過ぎず、本発明の範囲を限定するものではない。
【００２２】
上りリンクグラントレスランダムアクセス（ＲＡ）におけるリンクアダプテーションの方式のためのシステム及び方法の実施形態が本明細書において提供される。当該方式は、固定されたＭＣＳ方式（例えば、典型的には、ＱＳＰＫなどのロバストな方式）を使用する代わりに、ＲＡ通信中にユーザ装置（ＵＥ）リンク／チャネル状態が変化するときに、ＵＥに割り当てられたＭＣＳを変更することを含む。本明細書において開示されている方法及びシステムは、ＵＥについての信号品質の上りリンク測定及び長期測定に基づいて、リンクアダプテーションを実行する。本明細書で使用されるように、ＵＥという用語は、ユーザが操作するデバイス（例えば、スマートフォン）と、センサデバイスなどのマシン間通信（Ｍ２Ｍ）デバイスとを含む、無線ネットワークに接続可能な任意のデバイスを表す。ＵＥは、規定のロバストなＭＣＳを用いて伝送を開始し、チャネルが、例えば予め規定された閾値及び基準に従って十分な信号品質を示した後で、よりロバストでないＭＣＳが適用される。チャネル評価、及び連続するＭＣＳ値の使用というこのプロセスは、許容可能なＭＣＳが選択されるまで繰り返され得る。本明細書において、この反復的プロセスは、スローリンクアダプテーション（ＬＡ）と称される。チャネル測定結果を取得するべく、ＵＥに関連付けられる上りリンク（ＵＬ）チャネル上のチャネル品質インジケータ（ＣＱＩ）値が、例えば基地局（ＢＳ）又は発展型ＮｏｄｅＢ（ｅＮＢ）などの伝送ポイント（ＴＰ）によって測定され得る。また、ＲＡのための電力制御も、グラントレススケジューリングに使用され得る。ＴＰは、様々な基準及びシナリオに従って必要な場合に、長期電力制御（ＰＣ）に基づいて、ＵＥのためのＭＣＳを修正し、ＵＥにそのような変更を通知する。また、アダプテーションは、グラントレスＲＡ通信のためのより効率的な再伝送及びＵＥ検出のために、スタウトチャネル（ＳＣ）及び再伝送（ＲｅＴｘ）プロトコルへのサポートを提供するように実行され得る。信頼性の高いＲＡデータ通信を保証するべく、例えば、ユーザ／リンク／ネットワーク全体の状態に従って、ＭＣＳは（より良い信号品質状態に適した、よりロバストでないＭＣＳに切り替えることによって）アップグレード、及び（よりロバストなＭＣＳに切り替えることによって、又は、初期のもっともロバストなＭＣＳに戻すことによって）ダウングレードされ得る。これは、ＴＰ又はネットワークによって周期的に実行され得る。代替的に、ＵＥは、シグナリング無しでそのＭＣＳをダウングレードし得る。ＬＡ方式は、可能なときに、スペクトル効率を高め、より多くのユーザをサポートし、及び／又は、レイテンシを低減し得る。
【００２３】
図１は、ＴＰ動作に伴う、ＵＬグラントレスＲＡにおけるＬＡの実施形態を示す。具体的には、ＴＰは、ＵＬベースの測定をＵＥについて実行し、それに従ってＭＣＳを制御する。ＴＰ１  １１０は、ＴＰ１に接続されたＵＥ１２０によって生じる干渉と同様に、ＵＥ１２０と、ＴＰ２  １１０などの他のＴＰとの間の伝送によって発生する干渉を測定し得る。また、近隣の複数のＴＰは、直接的に、又は、サードパーティを通して、この情報を互いに交換し得る。また、ＴＰ１１０は、ＴＰ１１０に繋がっている、又は、ＴＰ１１０の検出範囲内にあるＵＥのＵＬ信号品質を測定する。測定は、例えば、最初のアクセス、サウンディング参照信号（ＳＲＳ）、又は、他の信号品質インジケータについて実行され得る。また、ＴＰ１１０は、ＵＥの移動性及び位置によって、繋がっている、又は、近くのものを測定し得る。ＵＥ１２０は次に、そのような測定に従って分類される。例えば、高速で移動しているＵＥ１２０は、例えば、ＱＳＰＫなどの固定されたＭＣＳを割り当てられ得る一方、静止した、及び／又は、低速で移動するＵＥ１２０は、ＭＣＳが変化するＬＡ方式に設定される。また、ＴＰ１１０は、例えば、ＬＴ  ＵＬの信号品質、ＬＴ  ＵＥの移動性、又は、ＬＴ  ＵＥの位置などの長期（ＬＴ）測定に基づいて、近隣のＵＥ１２０に対してＰＣを実行する。
【００２４】
更に、ＴＰ１１０又はネットワーク管理エンティティは、ＬＴ  ＭＣＳルックアップテーブル（ＬＵＴ）を確立し得る。ＬＴ  ＭＣＳ  ＬＵＴは、ＴＰで生成され得るか、又は、ＬＵＴ若しくはその値をＴＰへ転送する、ネットワークにおける中央コントローラによって生成され得る。ＬＴ  ＭＣＳ  ＬＵＴは、短期ＬＡに使用されるエントリより実質的に少ないエントリを含み得る。ＭＣＳ  ＬＵＴを確立するべく、ＴＰ１１０は、ＰＣストラテジに基づいて複数のＣＱＩ値を推定し、各ＣＱＩ値を適切なＭＣＳに関連付ける。各ＣＱＩ値及びそのＭＣＳは、エントリ（例えば、行の値）としてＬＵＴ内に追加され得る。ＬＵＴ内の各エントリは、ＣＱＩ値とＭＣＳとの間の関連付けに対応する。これは、ＵＥ１２０についてのＭＣＳを選択するためのストラテジを、測定されたそのＣＱＩに基づいて決定する。通信が継続している間、ＴＰ／ネットワークは、ＵＥ１２０のための適切なＭＣＳを、測定されたそのＣＱＩに基づいて選択するべく、ＬＵＴを使用する。例えば、測定レベルがＣＱＩ１であるとき、ＵＥ１２０はＭＣＳ１を割り当てられ、ＣＱＩがＣＱＩ１からＣＱＩ２へ変化するときに、ＵＥ１２０はＭＣＳ２にアップグレードされる。同様の論理で、ＵＥ１２０は、ＣＱＩレベルの測定された変化に従って、ＭＣＳ２からＭＣＳ１にダウングレードされ得る。ＵＥ  ＭＣＳのアップグレード及びダウングレードは、上りリンクにおけるＵＥの長期測定に基づき得て、ＵＥの分類は、そのような測定に基づき得る。例えば、ＵＥは、測定値に従って、高速移動（又は高移動性）ＵＥ、低速移動（又は低移動性）ＵＥ、又は、静止ＵＥとして分類され得る。同様に、ＴＰでより良いチャネル測定を提供するべく、必要に応じた試験的調整も選択肢である。アップグレード及びダウングレードは、ＵＥ１２０へのＴＰシグナリングを介して実現され得る。無線リソース制御（ＲＲＣ）シグナリングがＵＥのグループ化及びＲＡリソース割り当てのために使用され得る。アップグレード又はダウングレードを命令するシグナリングは、切り替える先の新しいＭＣＳと、伝送電力と、任意で試験的再選択とを指示し得る。また、ＵＬ  ＬＴ測定に基づくＵＥ  ＭＣＳのアップグレード又はダウングレードは、周期的に実行され得る。
【００２５】
図２は、ＵＥ動作に伴う、ＵＬグラントレスＲＡにおけるＬＡの実施形態を示す。無線システムにおけるＵＥ１２０は、ＵＥ電力がオンのとき、例えば、ＲＲＣシグナリングを介して、リソース割り当て情報を取得する。最初のデータアクセスの間、ＵＥ１２０は、アウターループ電力制御（ＯＬＰＣ）方式に基づいて伝送電力を調整し得る。また、パケット伝送は、システムによってサポートされるもっともロバストなＭＣＳを用いて行われ得る。失敗した伝送が検出されたとき、前の伝送がＲｅＴｘプロトコルに従って再伝送される。また、ＵＥ１２０は、予想外の事象がＵＥ１２０で発生したときのようなシナリオにおいて、近隣のＴＰ１１０／ネットワークにシグナリングすることなく、ＭＣＳダウングレードを実行し得る。例えば、より高いＭＣＳを用いる静止／低速移動ＵＥ１２０は、より速い速度でＵＥ１２０が移動を開始したが、近隣の、又は、他のＴＰ１１０が当該ＵＥの適時の情報を有していないことをＵＥ１２０が判定したとき、ＭＣＳダウングレードを開始し得る。別の例示的なシナリオにおいて、より高いＭＣＳを用いるＵＥ１２０は、より高い信頼性を要求する特定のトラフィック／アプリケーションのために、ＭＣＳをダウングレードし得る。更に別のシナリオにおいて、より高いＭＣＳを用いるＵＥ１２０は、その最大再伝送回数に到達する前にＭＣＳをダウングレードすることを進め得る。
【００２６】
図３は、ＵＬグラントレスＲＡにおけるＬＡ方式が実装され得る、ＵＥ  ＲＡリソース割り当ての実施形態を示す。第１の実装オプションにおいて、同一のＭＣＳを共有する複数のＵＥ３２０をグループ化することによって、ＵＥ  ＭＣＳのグループ化が得られる。特定のＭＣＳグループにおける複数のＵＥは、同一のリソース、例えば、同一の帯域幅領域、又は、同一の指定された伝送時間間隔（ＴＴＩ）にアクセスする。ＲＡリソースは、リソースブロックへ分割され、各ブロックは、周波数及び時間の境界によって定義される。各リソースブロックは、利用されている異なるＭＣＳグループ（例えば、ＭＣＳ１、ＭＣＳ２、及びＭＣＳ３）に割り当てられ得る。各ＭＣＳグループは、１つ又は複数のＵＥ３２０を含む。同一のＭＣＳを用いる複数のＵＥ３２０は、同一のリソース領域にアクセスする。ＵＥ  ＭＣＳグループのためのリソース割り当ては、静的であるか、半静的であるか、周期的に更新されるか、又は、例えば、信号品質、ＵＥの移動性、及び／若しくは、他の基準に基づいてリソース割り当てが必要であると判定すると更新され得る。そのような割り当て方式は、検出／検索の複雑性を低減させ得る。第２の実装オプションにおいて、複数のＵＥ３２０は、例えば、全体的な帯域幅又は伝送時間など、全てのＲＡリソースを共有する。この場合、ＴＰ３１０は、単一のＴＴＩにおいて、異なるＵＥ  ＭＣＳグループにおける複数のＵＥ３２０から、混在したＭＣＳを復号化する機能を有する。そのような割り当て方式は、リソース利用率を高め得る。
【００２７】
図４は、グラントレススケジューリングを用いるＲＡのためのＰＣの実施形態を示す。ネットワークＴＰ４１０は、例えば、ＵＥサウンディングチャネルを測定することによって、ＵＥの位置を認識している。ＵＥ４２０の周囲のＴＰ４１０は、ＬＴ測定結果を互いに交換し得る。最初のアクセスについては、ＵＥ４２０は、ネットワーク／ＴＰに対し、その最大伝送電力及び／又はパワーヘッドルーム（ｐｏｗｅｒ  ｈｅａｄｒｏｏｍ）を通知し得る。ＵＬ  ＰＣ基準が次に、ＰＣを実行するために使用され得る。基準は、潜在的な干渉を最低限に抑えながら、最大又は最高の可能なＭＣＳを達成することを含む。例えば、エッジＵＥ４２０（ＵＥ１及びＵＥ２）は、ＰＣを適用するとき、異なる伝送電力を有し得るが、ＴＰ２に関連する、それらの異なる干渉レベルに起因して、同一のＭＣＳを有し得る。更に、異なる移動性のＵＥ４２０に、ＬＡのための異なる電力マージンが割り当てられ得る。また、高速でフェージングするチャネル特性に起因して、追加のマージンがＬＡに考慮され得る。ブロックエラー率（ＢＬＥＲ）、多数の割り当て済みリソースブロック（ＲＢ）、及び、ユーザｉについての予め規定された電力オフセットΔｉ及びＣＱＩｉが与えられた、ＰＣの一実装例において、最高ＭＣＳｊは、Ｉｎｔｅｒｆ（Ｐ（ＭＣＳｊ）＋Δｊ）≦Ｉｎｔｅｒｆ‐ｍａｘ、かつ、Ｐ（ＭＣＳｊ）＋Δｊ≦Ｐｍａｘとなるように選択される。ここで、Ｐ（ＭＣＳｊ）はＵＥ伝送（Ｔｘ）電力であり、ＰｍａｘはＵＥの最大Ｔｘ電力であり、Ｉｎｔｅｒｆ‐ｍａｘは、最も近い近隣のものに対する許与可能な最大の干渉である。
【００２８】
ＵＥ  ＭＣＳグループに基づくＵＥ  ＲＡリソース割り当てについての、上述の第１実装オプションにおいて、ＳＣは、よりロバストでないＭＣＳを用いる、いくつかのＴＴＩ及び／又は時間周波数リソース上で構成され得る。このＭＣＳは、伝送のための十分高い信号品質レベルに適切であり得る。当該構成は、半静的な方式で実装され得る。また、ＵＥが同一のＭＣＳを用いて再伝送を実行する再伝送プロトコルが使用され得る。再伝送は、同一又は異なる内容について、ランダムのバックオフ時間を用いて実行され得る。予め規定された数の最大再伝送回数に到達した後で、ＭＣＳは、より低い（もっともロバストな）ＭＣＳにダウングレードされ得る。このＭＣＳは、伝送について許容可能な、より低い、又は、もっとも低い信号品質レベルに適切であり得る。同一のＭＣＳの再伝送、及びＳＣ再伝送の後に、失敗したパケットが破棄される。ＳＣにおいて、１つ又は複数の再伝送の試行が存在し得る。このＲｅＴｘプロトコルによれば、ＴＰは、種々のＭＣＳリソース領域内の信号を検出する。各ＭＣＳ領域内のＵＥは、個別に検出され得る。もっともロバストなＭＣＳ（例えば、ＭＣＳ１）を除く全てのＭＣＳ領域において検出されないＵＥは、ＳＣ内で検出される。失敗した検出信号を減少させるべく、いくつかの場合において、チェイス合成法（ＣＣ）又は増分冗長法（ＩＲ）が使用され得る。ＵＥを問題なく検出できる場合、ＴＰは、他のＵＥの検出に役立てるべく、それを利用できる。例えば、逐次干渉キャンセラ（ＳＩＣ）及びハイブリッド自動再送要求（ＨＡＲＱ）の組み合わせが可能である。ＲｅＴｘの場合、ＴＰは必要に応じてＵＥについてのＭＣＳ及び伝送電力（及び任意で試験）を調整し得て、更新をＵＥへ送信し得る。また、ＴＰは、失敗した伝送に対して、ＭＣＳダウングレードを適用できる。
【００２９】
図５は、全てのＵＥが共有するＵＥ  ＲＡリソースについて上述した第２実装オプションに係るＲｅＴｘプロトコルの実施形態を示す。ＵＥは、ＭＣＳ２を用いるＵＥ１及びＵＥ２について示されるように、同一のＭＣＳを用いて再伝送を実行し得る。ＵＥ１について示されるように、ＵＥは、元のＲＡリソースにおいて、予め規定された最大再試行回数に到達した後で、その前の失敗のインジケーションと共に、ＳＣ内で再伝送し得る。また、ＵＥは、ＳＣ内において再伝送を１回又は複数回実行し得る。当該インジケーションは、再伝送インジケータ又はフラグであり得る。これは、通常の新しい伝送からデータを区別するためのものである。失敗したパケットは次に、全ての再伝送の後で破棄される。また、ＳＣは、新しいユーザデータ伝送に使用され得る。上述のように、ＴＰは、混在するＭＣＳに対して、信号を検出できる。ＴＰレシーバは全てのユーザを探す。しかしながら、ＵＥ１の再伝送について示されるように、ＳＣにおいては、もっともロバストなＭＣＳ（例えば、ＭＣＳ１）のみの検出が必要とされる。いくつかの場合において、失敗した検出信号を減少させるべく、ＣＣ又はＩＲが使用され得る。１つのＵＥを問題なく検出できる場合、ＴＰは、例えば、ＳＩＣ及びＨＡＲＱを使用して、他のＵＥの検出に役立てるべく、検出されたＵＥを利用し得る。また、ＴＰは、要求に応じて、ＵＥのためのＭＣＳ、伝送電力、及び任意で試験を調整し、更新をＵＥへ送信し得る。また、ＴＰは、失敗した伝送に対して、ＭＣＳダウングレードを適用し得る。
【００３０】
図６は、ＲＡにおける、ＴＰに起因するＭＣＳアップグレードのための実施方法のプロトコル図を示す。ＵＥは、ＴＴＩ  ｉ（ここで、ｉは、時間単位におけるインスタンスを示す）で最初のデータ伝送又はパケットをＴＰ（例えば、ｅＮＢ）へ送信することによって開始する。ＵＥは次に、ＴＴＩ  ｉ＋５（５は、例えば５秒など、ｉに対する追加時間を示す）で第２パケットを送信し、ＴＴＩ  ｉ＋１２で第３パケットを送信し、ＴＴＩ  ｉ＋Ｎ（Ｎは１２より大きい整数）で第４パケットを送信する。パケットは、ロバストなＭＣＳ（例えば、ＭＣＳ１）を使用して送信される。パケットの各々を問題なく検出すると、ＴＰ／ｅＮＢは、確認応答（ＡＣＫ）をＵＥへ返す（図示せず）。多数（例えば、図示されている例では４）の連続するパケットが問題なく検出された後で、ＴＰ／ｅＮＢは、ＵＥについてのシグナリング状態が閾値の上であることを判定し得て、ＴＰはその判定に基づいて、効率を改善するべく、（ＴＴＩ  ｉ＋Ｎ＋２での伝送で示されているように）ＭＣＳをアップグレードし得る。ＭＣＳアップグレードの決定は、予め規定された良好な信号状態の基準が満たされると、ＴＰによって行われ得る。予め規定された数の後続のパケットを問題なく受信するなどのファクターを含み得る、これらの基準は、ＵＥごとに判定され得て、これにより、信頼性が十分に高いチャネルを示すＵＥのみが影響を受ける。図６に図示されているように、ＵＥは、ＭＣＳアップグレードの通知を受けた後で、アップグレードされたＭＣＳ（例えば、ＭＣＳ２）を使用して第５の伝送を送信し得る。
【００３１】
図７は、ＲＡにおける、ＴＰに起因するＭＣＳダウングレードを、ＴＰにおいて実行するための別の実施方法のプロトコル図を示す。ＵＥは、ＭＣＳ２を使用して、ＴＴＩ  ｋ（ここで、ｋは、時間単位のインスタンスを示す）で、（パケットｊとして図示されている）データ伝送をＴＰ、例えばｅＮＢへ送信する。この伝送は、ＴＰ／ｅＮＢによって、問題なく検出される。ＵＥは次に、ＴＴＩ  ｋ＋６（例えば、時間インスタンスｋの６秒後）で、同一のＭＣＳ２を使用して第２パケットｊ＋１を送信し、同一のＭＣＳ２を使用して、ＴＴＩ  ｋ＋２０で第３パケットｊ＋２を送信し、これらは両方とも、ＴＰ／ｅＮＢで問題なく検出される。ＵＥからの伝送において、ＭＣＳの変更が保証されることを必ずしも示すものではない。しかしながら、ＴＰ／ｅＮＢは、ＭＣＳ２を用いて複数の伝送を問題なく受信した後で、ＴＰ／ｅＮＢの近隣又は検出範囲内にある任意のＵＥから、より高いＵＬ干渉を検出する。この干渉はチャネル品質の劣化につながる。その検出に応答して、ＴＰ／ｅＮＢは、伝送の問題を回避するべく、先制して、ＵＥによって使用されるＭＣＳをＭＣＳ１にダウングレードすることを決定する。ＴＰは、ＴＴＩ  ｋ＋３２で、ＭＣＳダウングレード命令をＵＥへ送信する。ＵＥは次に、ＴＴＩ  ｋ＋４０で、よりロバストなＭＣＳ１を使用して、新しいパケットｊ＋３を送信する。
【００３２】
図８は、ＲＡにおける、ＵＥに起因するＭＣＳダウングレードのための実施方法のプロトコル図を示す。図示されているように、ＵＥはＴＴＩ  ｋで、ＭＣＳ２を使用して、データ伝送（パケットｊ）をＴＰ、例えばｅＮＢへ送信する。この伝送は、ＴＰ／ｅＮＢによって問題なく検出される。ＵＥは次に、ＴＴＩ  ｋ＋６（例えば、時間インスタンスｋの６秒後）で、同一のＭＣＳ２を使用して、第２パケットｊ＋１を送信する。この伝送が失敗したとき（例えば、ＵＥがＴＰ／ｅＮＢからＡＣＫ応答を受信しないとき）、ＵＥはＴＴＩ  ｋ＋２０で、ＭＣＳ２を使用してパケットｊ＋１を再伝送する。この再伝送が失敗したとき、再びＵＥはＴＰからＡＣＫを受信しない。ＡＣＫが無いことにより、ＵＥは、伝送が成功しなかったと判定する。失敗した再伝送が予め規定された数に到達すると、ＵＥは、ＭＣＳをＭＣＳ１に変更し、ＴＴＩ  ｋ＋３０で、ＭＣＳ１を用いてＳＣを使用してパケットｊ＋１を再伝送する。ＭＣＳ１は、ＭＣＳ２よりロバストである。ＭＣＳ２よりロバストなチャネルである、又は、もっともロバストなＭＣＳであるＭＣＳ１を用いて、ＳＣ上でパケットを再伝送することは、ＭＣＳダウングレードをトリガする役割を果たし、ＴＰ／ｅＮＢ又はネットワークに対して、ダウングレードの要求を示す。（デフォルトではＭＣＳ１を用いて）ＳＣにおいて、この再伝送を検出すると、ＴＰ／ｅＮＢは、ＵＥについてのＭＣＳをＭＣＳ２からＭＣＳ１にダウングレードし、ＡＣＫをＵＥへ送り返す（図示せず）。このようにして、ダウングレード命令（又は、場合によっては確認）がＴＴＩ  ｋ＋３２でＵＥへ送信される。ＵＥはＴＴＩ  ｋ＋４０で、ＭＣＳ１を使用して、新しいパケットｊ＋２を送信する。
【００３３】
図９は、ＲＡにおける、ＵＥに起因するＭＣＳダウングレードのための別の実施方法のプロトコル図を示す。ＵＥはＴＴＩ  ｋで、ＭＣＳ２を使用してデータ伝送（パケットｊ）をＴＰ、例えばｅＮＢへ送信し、それは、ＴＰ／ｅＮＢによって問題なく検出される。ＵＥはその後、ＴＴＩ  ｋ＋６で同一のＭＣＳ２を使用して第２パケットｊ＋１を送信し、それも、ＴＰ／ｅＮＢによって問題なく検出される。次に、ＵＥの移動性がその移動性状態を変更する。図示されている実施形態において、低速で移動するＵＥは、高速移動状態へ移行する。ＵＥは移動性におけるその変化を認識するが、ネットワークエンティティはこの変化をまだ認識していないことがあり得る。ＵＥはＴＴＩ  ｋ＋２０で、ＭＣＳ１を使用してＳＣにおいて次のパケットｊ＋２を伝送し、上述のように、ＭＣＳ１は、利用可能なもっともロバストなＭＣＳを表し得る。ＭＣＳ１を用いてＳＣ上でパケットを伝送することは、ＭＣＳダウングレードをトリガする役割を果たし、ＴＰ／ｅＮＢ又はネットワークに対して、ダウングレードの要求を示す。ＭＣＳ１を用いてＳＣにおいてＴＰ／ｅＮＢでパケットｊ＋２を受信することに応答して、ＴＰ／ｅＮＢは、ＵＥ移動性又は信号状態の変化を通知され、それに従って、ＵＥの分類を更新し、そのＭＣＳをダウングレードする。ダウングレード命令は、ＵＥへ送信され得る。ＵＥはこれを、ＭＣＳ１へ移行する要求の承認として扱い得る。ＵＥがＴＴＩ  ｋ＋４０でパケットｊ＋３を伝送するとき、ＭＣＳ１を使用して伝送する。ＵＥは、典型的にはＴＰ又は他のネットワークエンティティによってＭＣＳアップグレードがトリガされるまで、ＴＴＩ  ｋ＋５１での伝送パケットｊ＋４によって示されているように、ＭＣＳ１を使用して伝送を継続するであろう。
【００３４】
他の実施形態において、ＵＥは、ＵＥの伝送品質、及びアプリケーションのＱｏＳに関連付けられるＬＡ状態を検出した後で、ＭＣＳダウングレードを開始し得る。例えば、より信頼性の高い伝送がトラフィックのアプリケーションに必要であるとき、ＵＥはＭＣＳをダウングレードする。例において、ＵＥは、よりロバストなＭＣＳを必要とするＵＥのアプリケーションに対する、サービス品質（ＱｏＳ）要件を判定すると、ＭＣＳダウングレードを開始する。
【００３５】
更なる実施形態において、グラントフリー無線通信に関与しているエンティティの１つは、データを伝送するべく、変調及び符号化方式（ＭＣＳ）を使用する。ノードは、非リンクファクターに基づいてＭＣＳの変更を開始するＵＥ又はＴＰであり得る。例えば、非リンクファクターは、ＵＥの移動性（移動）若しくは移動性の変化の判定、ＵＥのアプリケーションの起動、チャネル特性の予想される、若しくは、起こり得る変化の予見、又は、ＵＥとＴＰとの間のリンク状態に関連付けられ得ない、例えば、よりロバストなＭＣＳへのＭＣＳにおける変更を要求する他のファクターであり得る。ノード（ＵＥ又はＴＰ）が、非リンクベースファクターに従って、現在のＭＣＳの代わりに新しいＭＣＳが使用されるべきである（例えば、新しいＭＣＳは、現在のＭＣＳよりロバストである）と判定したとき、ノードは、後続のグラントフリー伝送に新しいＭＣＳを使用するように、グラントフリー伝送コントローラに命令する。ＵＥにより開始されたＭＣＳの変更の場合、命令されたグラントフリー伝送コントローラは、ＵＥにおけるローカルなコントローラであり得る。ＴＰにより開始されたＭＣＳの変更の場合、命令はＴＰからＵＥコントローラへ送信され得る。
【００３６】
図１０は、様々な実施形態を実装するために使用され得る処理システム１０００のブロック図である。処理システム１０００は、ＴＰ若しくはｅＮＢ、ＵＥ、又は他のネットワークデバイスの一部であり得る。具体的なデバイスは、示されるコンポーネントの全てを利用し得るか、又は、コンポーネントのサブセットのみを利用し得て、統合のレベルはデバイスごとに異なり得る。更に、デバイスは、複数の処理ユニット、プロセッサ、メモリ、トランスミッタ、レシーバなど、複数の例のコンポーネントを備え得る。処理システム１０００は、スピーカ、マイク、マウス、タッチスクリーン、キーパッド、キーボード、プリンタ、ディスプレイ、及び同様のものなどの１つ又は複数の入出力デバイスが設けられた処理ユニット１００１を備え得る。処理ユニット１００１は、バスに接続された、中央処理ユニット（ＣＰＵ）１０１０、メモリ１０２０、大容量ストレージデバイス１０３０、ビデオアダプタ１０４０、及びＩ／Ｏインタフェース１０６０を含み得る。バスは、メモリバス若しくはメモリコントローラ、周辺バス、ビデオバス、又は同様のものなどを含む任意のタイプの複数のバスアーキテクチャのうちの１つ又は複数であり得る。
【００３７】
ＣＰＵ１０１０は、任意のタイプの電子データプロセッサを含み得る。メモリ１０２０は、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリーメモリ（ＲＯＭ）、これらの組み合わせ、又は同様のものなどの任意のタイプのシステムメモリを含み得る。一実施形態において、メモリ１０２０は、ブートアップで使用するためのＲＯＭ、並びに、プログラム実行中に使用するプログラム及びデータを記憶するためのＤＲＡＭを含み得る。複数の実施形態において、メモリ１０２０は、非一時的なものである。大容量ストレージデバイス１０３０は、データ、プログラム、及び他の情報を記憶するように、並びに、データ、プログラム、及び他の情報への、バスを介したアクセスを可能にするように構成された任意のタイプのストレージデバイスを含み得る。大容量ストレージデバイス１０３０は、例えば、ソリッドステートドライブ、ハードディスクドライブ、磁気ディスクドライブ、光ディスクドライブ、又は同様のもののうちの１つ又は複数を含み得る。
【００３８】
ビデオアダプタ１０４０及びＩ／Ｏインタフェース１０６０は、外部入出力デバイスを処理ユニットに結合するインタフェースを提供する。図示されているように、入出力デバイスの例は、ビデオアダプタ１０４０に結合されたディスプレイ１０９０と、Ｉ／Ｏインタフェース１０６０に結合されたマウス／キーボード／プリンタ１０７０の任意の組み合わせとを含む。他のデバイスが処理ユニット１００１に結合され得て、追加の、又は、より少ないインタフェースカードが利用され得る。例えば、プリンタのためのシリアルインタフェースを提供するべく、シリアルインタフェースカード（図示せず）が使用され得る。
【００３９】
また、処理ユニット１００１は、ノード若しくは１つ又は複数のネットワーク１０８０にアクセスするべく、イーサネット（登録商標）ケーブル若しくは同様のものなどの有線リンク、及び／又は、無線リンクを含み得る、１つ又は複数のネットワークインタフェース１０５０を有し得る。ネットワークインタフェース１０５０は、処理ユニット１００１が、ネットワーク１０８０を介して遠隔ユニットと通信できるようにする。例えば、ネットワークインタフェース１０５０は、１つ又は複数のトランスミッタ／伝送アンテナ及び１つ又は複数のレシーバ／受信アンテナを介して無線通信を提供し得る。一実施形態において、処理ユニット１００１は、他の処理ユニットなどの遠隔デバイス、インターネット、遠隔記憶設備、又は同様のものとの通信及びデータ処理のために、ローカルエリアネットワーク又はワイドエリアネットワークに結合される。以降では、本開示を説明するべく、以下の例を提供する。
例１：無線ネットワークにおけるランダムアクセスのリンクアダプテーションのための方法であって、第１の変調及び符号化方式（第１ＭＣＳ）を使用して符号化され、ランダムアクセスチャネル上で伝送される第１パケットを、伝送ポイント（ＴＰ）がユーザ装置（ＵＥ）から受信する段階と、第１ＭＣＳと異なる第２ＭＣＳを選択する段階と、選択された第２ＭＣＳを使用する命令をＵＥへ伝送する段階とを備える方法。
例２：第２ＭＣＳを使用して符号化された第２パケットをＵＥから受信する段階を更に備える、例１に記載の方法。
例３：第１パケット及び１つ若しくは複数の、後続のパケット又は制御信号を受信すると、ＵＥに関連付けられるチャネルの上りリンク長期（ＬＴ）チャネル信号品質の測定に基づいて、ＵＥをＭＣＳグループに分類する段階を更に備える、例１に記載の方法。
例４：ＵＥに関連する上りリンクチャネルの信号品質をＴＰが測定する段階と、測定された信号品質に従って第２ＭＣＳを選択する段階とを更に備える、例１に記載の方法。
例５：周囲の干渉レベルをＴＰが測定する段階と、周囲の干渉レベルの改善を検出すると、第１ＭＣＳをアップグレードすること、及び、周囲の干渉レベルの劣化を検出すると、第１ＭＣＳをダウングレードすることのうちの１つを実行する段階とを更に備える、例１に記載の方法。
例６：ＵＥの移動性をＴＰが判定する段階と、移動性の減少を検出すると、第１ＭＣＳをアップグレードすること、及び、移動性の増加を検出すると、第１ＭＣＳをダウングレードすることのうちの１つを実行する段階とを更に備える、例１に記載の方法。
例７：第１パケットを受信すると、ＵＥの上りリンク長期（ＬＴ）チャネル信号品質測定に関連付けられるリンクアダプテーション状態（ＬＡ状態）を検出する段階を更に備え、ＬＡ状態を検出する段階は、受信された第１パケットをスタウトチャネル（ＳＣ）内で検出する段階を含み、第１ＭＣＳは、受信された第１パケットをＳＣ内で検出したことに従って、第２ＭＣＳにダウングレードされる、例１に記載の方法。
例８：ＬＡ状態に従って、ＵＥの伝送の電力制御（ＰＣ）を実行する段階を更に有する、例７に記載の方法。
例９：ＬＡ状態に従って、ＵＥの試験的調整を実行する段階を更に備える、例７に記載の方法。
例１０：ＬＡ状態に従って、ＭＣＳが変化するＬＡ対応ＵＥの第１グループ、及び、ＭＣＳが固定されたＵＥの第２グループのうちの１つへＵＥを分類する段階を更に有し、ＵＥは、ＵＥが静止している、若しくは、低速で移動するＵＥであると判定されると、第１グループへ分類されるか、又は、ＵＥが高速で移動するＵＥであると判定されると、第２グループに分類される段階を更に備える、例７に記載の方法。
例１１：ＵＥの上りリンクＬＴチャネル信号品質測定に関連付けられるＬＡ状態を時間にわたって検出することを繰り返す段階と、ＬＡ状態に従ってＵＥの分類を更新する段階とを更に含む、例１０に記載の方法。
例１２：サポートされている複数のＭＣＳを、複数の予め定められたチャネル品質指標（ＣＱＩ）値に関連付けるルックアップテーブル（ＬＵＴ）を確立する段階と、ＵＥに関連付けられる上りリンクチャネルについてのＣＱＩを測定する段階と、ＬＵＴ内のＵＥのＣＱＩに一致する、サポートされている複数のＭＣＳのうちの１つをＵＥに割り当てる段階とを更に備える、例１に記載の方法。
例１３：複数のＵＥを複数のＵＥ  ＭＣＳグループへグループ化する段階と、複数の対応するＭＣＳを複数のＵＥ  ＭＣＳグループに割り当てる段階と、複数の対応するＲＡリソース領域を複数のＵＥ  ＭＣＳグループに割り当てる段階であって、ＲＡリソース領域は、帯域幅領域又は伝送時間間隔（ＴＴＩ）である、段階と、複数の対応するＲＡリソース領域を、複数のＵＥ  ＭＣＳグループにおけるＵＥにシグナリングする段階と、複数の対応するＲＡリソース領域における複数の対応するＭＣＳを使用して符号化された複数のパケットを、複数のＵＥ  ＭＣＳグループ内におけるＵＥから受信する段階とを更に備える例１に記載の方法。
例１４：単一のＴＴＩ及び帯域幅内の異なるＭＣＳを使用して符号化される複数のパケットを複数のＵＥから検出する段階を更に備える、例１に記載の方法。
例１５：無線ネットワークにおけるランダムアクセスのリンクアダプテーションのための方法であって、ランダムアクセスチャネル上でユーザ装置（ＵＥ）に予め割り当てられた第１変調及び符号化方式（第１ＭＣＳ）を使用して符号化された第１パケットをＵＥが伝送ポイント（ＴＰ）へ伝送する段階と、ＵＥ伝送又はアプリケーション品質に関連付けられるリンクアダプテーション（ＬＡ）状態をＵＥにおいて検出する段階と、第２ＭＣＳを使用する命令をＴＰから受信する段階であって、第２ＭＣＳは、第１ＭＣＳよりロバストなＭＣＳである、段階と、第２ＭＣＳを使用して符号化された第２パケットをＴＰへ送信する段階とを備える、方法。
例１６：命令をＴＰから受信する前に、予め割り当てられたもっともロバストなＭＣＳを使用して、第１パケットをスタウトチャネル（ＳＣ）上でＴＰへ再伝送する段階を更に備える、例１５に記載の方法。
例１７：第１パケットのＴＰへの繰り返し伝送の予め規定された最大数に到達するまで、第１パケットをＴＰへ伝送することを繰り返す段階を更に備える、例１５に記載の方法。
例１８：ＵＥの移動性の増加をＵＥが検出する段階と、ＵＥの移動性の増加に応答して、第１ＭＣＳから第２ＭＣＳへのダウングレードを開始する段階とを更に備える、例１５に記載の方法。
例１９：第１ＭＣＳよりロバストなＭＣＳを必要とする、ＵＥのアプリケーションについてのサービス品質（ＱｏＳ）要件を判定する段階と、アプリケーションのＱｏＳに応答して、第１ＭＣＳから第２ＭＣＳへのダウングレードを開始する段階とを更に備える、例１５に記載の方法。
例２０：ランダムアクセスのリンクアダプテーションをサポートするネットワークコンポーネントであって、少なくとも１つのプロセッサと、少なくとも１つのプロセッサによって実行されるプログラムを記憶する非一時的コンピュータ可読記憶媒体と、を備え、プログラムは、予め割り当てられた変調及び符号化方式（ＭＣＳ）を使用して符号化され、ランダムアクセスチャネル上で伝送される第１パケットをユーザ装置（ＵＥ）から受信する命令、第２ＭＣＳを選択する命令、及び、選択された第２ＭＣＳを使用する命令を伝送する命令を含む、ネットワークコンポーネント。
例２１：プログラムは、第２ＭＣＳを使用して符号化された第２パケットをＵＥから受信する更なる命令を含む、例２０に記載のネットワークコンポーネント。
例２２：プログラムは、ＵＥに関連付けられる上りリンクチャネルの信号品質を測定する命令、及び、測定された信号品質に従って、第２ＭＣＳを選択する命令を更に含む、例２０に記載のネットワークコンポーネント。
例２３：ランダムアクセスのリンクアダプテーションをサポートするユーザ装置（ＵＥ）であって、少なくとも１つのプロセッサと、少なくとも１つのプロセッサによって実行されるプログラムを記憶する非一時的コンピュータ可読記憶媒体とを含み、プログラムは、ランダムアクセスチャネル上で、第１変調及び符号化方式（第１ＭＣＳ）を使用して符号化された第１パケットを伝送ポイント（ＴＰ）へ伝送する命令、ＵＥに関連するリンクアダプテーション（ＬＡ）状態を検出する命令、第２ＭＣＳを使用する命令をＴＰから受信する命令であって、第２ＭＣＳは、第１ＭＣＳよりロバストなＭＣＳである、命令、及び、第２ＭＣＳを使用して符号化された第２パケットをＵＥへ送信する命令を含む、ユーザ装置。
例２４：ユーザ装置（ＵＥ）ノードにおける実行のための方法であって、第１変調及び符号化方式（第１ＭＣＳ）を使用して符号化された伝送信号を、ランダムアクセス無線チャネル上で伝送ポイント（ＴＰ）へ送信する段階と、第１ＭＣＳとは異なる第２ＭＣＳを使用して後続の伝送信号を送信する命令をＴＰから受信する段階と、第２ＭＣＳを使用して符号化された後続の伝送信号をＴＰへ送信する段階とを備える、方法。
例２５：ＴＰから命令を受信する前に、後続の伝送は第１ＭＣＳとは異なるＭＣＳを使用して符号化されるべきであると判定する段階と、判定に従って、第２ＭＣＳを選択する段階と、命令をＴＰから受信するより先に、第２ＭＣＳを用いて符号化された伝送をＴＰへ送信する段階とを更に備える、例２４に記載の方法。
例２６：ランダムアクセスのリンクアダプテーションをサポートするユーザ装置（ＵＥ）であって、少なくとも１つのプロセッサと、少なくとも１つのプロセッサによって実行されるプログラムを記憶する非一時的コンピュータ可読記憶媒体とを備え、プログラムは、第１変調及び符号化方式（第１ＭＣＳ）を使用して符号化された伝送をランダムアクセス無線チャネル上で伝送ポイント（ＴＰ）へ送信する命令、第１ＭＣＳとは異なる第２ＭＣＳを使用して後続の伝送信号を送信する命令をＴＰから受信する命令、第２ＭＣＳを使用して符号化された後続の伝送信号をＴＰへ送信する命令を含む、ユーザ装置。
例２７：グラントフリー無線通信に関与しているノードにおいて実行される方法であって、エンティティは、伝送のために変調及び符号化方式（ＭＣＳ）を使用し、当該方法は、非リンクベースファクターに従って、現在のＭＣＳから新しいＭＣＳへの切り替えを決定する段階と、後続のグラントフリー伝送に新しいＭＣＳを使用するように、グラントフリーコントローラに命令する段階とを備える、方法。
例２８：非リンクベース要素は、ノードの移動性の判定である、例２７に記載の方法。
例２９：非リンクベースファクターは、よりロバストな通信チャネルを必要とする、ノードのためのアプリケーションの起動である、例２７に記載の方法。
例３０：非リンクベースファクターは、チャネル特性における起こり得る変化の予測を含む、例２７に記載の方法。
【００４０】
複数の実施形態が本開示において提供されてきたが、開示されたシステム及び方法は、本開示の思想又は範囲から逸脱することなく、多数の他の具体的形態で具現化されてよいことが理解されるべきである。本実施例は例示的なものであって限定的なものではないとみなされるべきであり、その意図は、本明細書において与えられた詳細に限定されるものではない。例えば、様々な要素又はコンポーネントは、組み合わされ得るか、又は、別のシステム内に統合され得る。あるいは、特定の特徴が省略される、又は実装されないことがあり得る。
【００４１】
更に、様々な実施形態に個別又は別個に説明及び図示された技術、システム、サブシステム、及び方法が、本開示の範囲から逸脱することなく、他のシステム、モジュール、技術、又は方法と組み合わされても統合されてもよい。結合される若しくは直接的に結合される、又は互いに通信するものとして示され、説明される他の要素は、何らかのインタフェース、デバイス、又は中間コンポーネントを通して、電気的にでも、機械的にでも、又は別の方法でも、間接的に結合されるか、又は通信し得る。変更形態、置換形態、及び代替形態の他の例が、当業者によって確かめられ、本明細書で開示された思想及び範囲から逸脱することなく作られ得る。
【図１】
0006760578.tif 000002
【図２】
0006760578.tif 000003
【図３】
0006760578.tif 000004
【図４】
0006760578.tif 000005
【図５】
0006760578.tif 000006
【図６】
0006760578.tif 000007
【図７】
0006760578.tif 000008
【図８】
0006760578.tif 000009
【図９】
0006760578.tif 000010
【図１０】
0006760578.tif 000011